(57)【要約】【課題】連接された複数片からなり、該複数片が連接部分にて折り畳まれた状態で供給される情報提供用シートにおいて、開封率を向上させる。【解決手段】連接部２ａ，２ｂにてそれぞれ連接された複数片１ａ，１ｂ，１ｃのうち少なくとも片１ｂに、情報提供用シートを連接部２ａにて折り返した場合に、片１ａに掲載された組み合わせ情報４ａ，５ａ，６ａ，７ａが視認可能となる穴１４〜１７を形成するとともに、穴１４〜１７を介して視認可能となった組み合わせ情報４ａ，５ａ，６ａ，７ａと組み合わされることにより所定の情報を構成する組み合わせ情報４ｂ，５ｂ，６ｂ，７ｂを掲載する。【選択図】  図１
2004243723.tif 000002
【特許請求の範囲】
【請求項１】
連接された複数片からなり、該複数片が連接部分にて折り畳まれた状態で供給される情報提供用シートであって、
前記複数片のうち少なくとも１つの片は、当該情報提供用シートを前記連接部分にて折り返した場合に、他の片に掲載された第１の情報が視認可能となる穴が形成されるとともに、前記穴を介して視認可能となった前記第１の情報と組み合わされることにより所定の情報を構成する第２の情報が掲載され、
前記第１の情報と前記第２の情報とのいずれか一方は、当該情報提供用シートが折り畳まれた状態にて表出する領域に掲載されていることを特徴とする情報提供用シート。
【請求項２】
請求項１に記載の情報提供用シートにおいて、
前記複数片は、前記連接部分にて折り畳まれた状態で互いに剥離可能に接着されていることを特徴とする情報提供用シート。
【請求項３】
請求項１または請求項２に記載の情報提供用シートにおいて、
前記第１の情報及び前記第２の情報のうち、当該情報提供用シートが折り畳まれた状態にて表出する領域に掲載された情報は、図柄の一部であることを特徴とする情報提供用シート。
【請求項４】
請求項１または請求項２に記載の情報提供用シートにおいて、
前記穴は、コード情報を表現する形状を有し、
前記第１の情報と前記第２の情報とは、同一の色によって掲載されていることを特徴とする情報提供用シート。
【請求項５】
請求項１または請求項２に記載の情報提供用シートにおいて、
前記所定の情報は、バーコード情報または二次元コードであり、
前記第２の情報は、前記バーコード情報または二次元コードを構成する可変情報によらずに固定な情報であることを特徴とする情報提供用シート。
【発明の詳細な説明】
【０００１】
【発明の属する技術分野】
本発明は、連接された複数片からなり、該複数片が連接部分にて折り畳まれた状態で供給される情報提供用シートに関する。
【０００２】
【従来の技術】
従来より、受取人にのみ提供したい情報を印刷物によって提供する場合の手段として、剥離可能なラベルが貼付された葉書や、連接された複数片からなり、この複数片が連接部分にて折り畳まれて互いに剥離可能に接着された折り畳み葉書等が用いられている。
【０００３】
剥離可能なラベルが貼付された葉書を用いて情報を提供する場合は、受取人に提供する情報のうち受取人にのみ提供したい情報が掲載された面に剥離可能なラベルを貼付し、送付する。この状態では、受取人にのみ提供したい情報は、剥離可能なラベルによって隠蔽されており、外部から視認不可能となっている。その後、受取人が、葉書を受け取り葉書からラベルを剥離すると、受取人のみに提供したい情報が視認可能な状態となり、その情報が受取人に提供されることになる。
【０００４】
また、連接された複数片からなり、この複数片が連接部分にて折り畳まれて互いに剥離可能に接着された折り畳み葉書を用いて情報を提供する場合は、この折り畳み葉書を構成する複数片のうち折り畳まれた際に内面となる領域に受取人にのみ提供したい情報を掲載し、この複数片どうしを剥離可能に接着して送付する。この状態では、受取人にのみ提供したい情報は、互いに接着された複数片によって隠蔽されており、外部から視認不可能となっている。その後、受取人が、葉書を受け取り複数片を互いに剥離すると、受取人のみに提供したい情報が視認可能な状態となり、その情報が受取人に提供されることになる。
【０００５】
このような形態の葉書を用いて情報を提供する場合は、受取人にのみ提供したい情報を印刷物によって提供する場合であっても、封書を用いることなく情報を提供することができるため、葉書料金で受取人にのみ所定の情報を提供することができる。
【０００６】
例えば、所定のホームページにアクセスするためのアクセス情報を、上述したような折り畳み葉書を用いて提供するために、この折り畳み葉書を構成する複数片のうち折り畳まれた際に内面となる領域にアクセス情報を掲載し、アクセス情報が掲載された面と他の面とを剥離可能に接着して送付することが考えられている（例えば、特許文献１参照。）。
【０００７】
ここで、上述したような形態の葉書においては、受取人に提供したい情報の少なくとも一部が外部から視認不可能となった状態で受取人に送付されるため、葉書の受取人がラベルや複数片どうしを剥離せずに捨ててしまった場合等、葉書の受取人がラベルや複数片どうしを剥離しない状態においては、受取人にのみ提供したい情報を受取人に提供することができなくなってしまう。
【０００８】
そこで、互いに剥離可能に接着される複数片の一部に穴を形成し、複数片が互いに接着されている状態において、その穴から内面に掲載された情報の一部を視認可能とし、それにより、隠蔽されている情報に興味を持たせて複数片を剥離させる技術が考えられている（例えば、特許文献２参照。）。
【０００９】
【特許文献１】
特開２００１−１８０１５４号公報
【特許文献２】
特開２０００−１５９６１号公報
【００１０】
【発明が解決しようとする課題】
しかしながら、上述したように、互いに剥離可能に接着される複数片の一部に穴を形成し、複数片が互いに接着されている状態において、その穴から内面に掲載された情報の一部を視認可能とするものにおいては、隠蔽された情報の一部が外部から視認可能となるだけであるため、外部から視認可能となる情報によって、隠蔽された情報に興味を持たせるのに十分であるとは言いがたく、それによって、複数片を互いに剥離するようになるとは限らない。
【００１１】
本発明は、上述したような従来の技術が有する問題点に鑑みてなされたものであって、連接された複数片からなり、該複数片が連接部分にて折り畳まれた状態で供給される情報提供用シートにおいて、開封率を向上させることができる情報提供用シートを提供することを目的とする。
【００１２】
【課題を解決するための手段】
上記目的を達成するために本発明は、
連接された複数片からなり、該複数片が連接部分にて折り畳まれた状態で供給される情報提供用シートであって、
前記複数片のうち少なくとも１つの片は、当該情報提供用シートを前記連接部分にて折り返した場合に、他の片に掲載された第１の情報が視認可能となる穴が形成されるとともに、前記穴を介して視認可能となった前記第１の情報と組み合わされることにより所定の情報を構成する第２の情報が掲載され、
前記第１の情報と前記第２の情報とのいずれか一方は、当該情報提供用シートが折り畳まれた状態にて表出する領域に掲載されていることを特徴とする。
【００１３】
また、前記複数片は、前記連接部分にて折り畳まれた状態で互いに剥離可能に接着されていることを特徴とする。
【００１４】
また、前記第１の情報及び前記第２の情報のうち、当該情報提供用シートが折り畳まれた状態にて表出する領域に掲載された情報は、図柄の一部であることを特徴とする。
【００１５】
また、前記穴は、コード情報を表現する形状を有し、
前記第１の情報と前記第２の情報とは、同一の色によって掲載されていることを特徴とする。
【００１６】
また、前記所定の情報は、バーコード情報または二次元コードであり、
前記第２の情報は、前記バーコード情報または二次元コードを構成する可変情報によらずに固定な情報であることを特徴とする。
【００１７】
（作用）
上記のように構成された本発明においては、複数片が連接される連接部分にて折り返すと、複数の片のうち少なくとも１つの片に形成された穴を介して、他の片に掲載された第１の情報が視認可能となる。ここで、穴が形成された片には、穴を介して視認可能となった第１の情報と組み合わされることにより所定の情報を構成する第２の情報が掲載されているので、この第２の情報と穴を介して視認可能となった第１の情報とが組み合わされて所定の情報が構成されることになる。
【００１８】
このように、連接された複数片からなり、該複数片が連接部分にて折り畳まれた状態で供給される情報提供用シートにおいて、複数片が連接される連接部分にて折り返すことにより所定の情報が構成されることになるが、第１の情報と第２の情報とのいずれか一方は、当該情報提供用シートが折り畳まれた状態にて表出する領域に掲載されているので、この情報提供用シートを受け取った受取人は、所定の情報を得るために情報提供用シートを連接部分にて折り返すことになり、それにより、情報提供用シートの開封率が向上する。
【００１９】
【発明の実施の形態】
以下に、本発明の実施の形態について図面を参照して説明する。
【００２０】
図１は、本発明の情報提供用シートの実施の一形態を示す図であり、（ａ）は表面構成を示す図、（ｂ）は裏面構成を示す図である。
【００２１】
本形態は図１に示すように、連接部２ａ，２ｂを介して連接される３つの片１ａ，１ｂ，１ｃから構成されており、連接部２ａ，２ｂにて所定の折り方で折り畳まれた状態で供給される。
【００２２】
また、図１（ａ）に示すように、情報提供用シートの表面においては、片１ａに、情報提供用シートの宛先を示す宛先情報３と、片１ｂの裏面に印刷された情報と組み合わされることによりそれぞれ所定の情報を構成する第１の情報である組み合わせ情報４ａ，５ａ，６ａ，７ａが掲載されている。また、片１ｂには、片１ａの表面と片１ｂの表面とが対向するように情報提供用シートを連接部２ａにて折り畳んだ場合に、片１ｂの裏面側から組み合わせ情報４ａ，５ａ，６ａ，７ａをそれぞれ視認可能とする穴１４〜１７が形成されている。
【００２３】
また、図１（ｂ）に示すように、情報提供用シートの裏面においては、片１ａに、片１ｃの裏面に掲載された情報と組み合わされることにより所定の情報を構成する第１の情報である組み合わせ情報８ａが掲載されている。また、片１ｂには、片１ａの表面と片１ｂの表面とが対向するように情報提供用シートを連接部２ａにて折り畳んだ場合に、片１ｂに形成された穴１４〜１７を介して視認可能となる組み合わせ情報４ａ，５ａ，６ａ，７ａと組み合わされることにより所定の情報を構成する第２の情報である組み合わせ情報４ｂ，５ｂ，６ｂ，７ｂが掲載されている。また、片１ｃには、片１ａの裏面と片１ｃの表面とが対向するように情報提供用シートを連接部２ａ，２ｂにて折り畳んだ場合に、片１ｃの裏面側から組み合わせ情報８ａを視認可能とする穴１８が形成されているとともに、片１ａの裏面と片１ｃの表面とが対向するように情報提供用シートを連接部２ａ，２ｂにて折り畳んだ場合に、片１ｃに形成された穴１８を介して視認可能となる組み合わせ情報８ａと組み合わされることにより所定の情報を構成する第２の情報である組み合わせ情報８ｃが掲載されている。
【００２４】
上記のように構成された情報提供用シートは、片１ａの裏面と片１ｂの裏面とが対向し、かつ、片１ｂの表面と片１ｃの表面とが対向するように、連接部２ａ，２ｂにてそれぞれ折り畳まれて供給されることになる。
【００２５】
図２は、図１に示した情報提供用シートが供給される際の形態を示す図であり、（ａ）は表面から見た図、（ｂ）は折り方を説明するための図、（ｃ）は裏面から見た図である。
【００２６】
図２（ｂ）に示すように、図１に示したような情報提供用シートは、片１ａの裏面と片１ｂの裏面とが対向し、かつ、片１ｂの表面と片１ｃの表面とが対向するように、連接部２ａ，２ｂにてそれぞれ折り畳まれて、片１ａの表面と片１ｃの裏面とが表出したＺ折りの状態で供給される。この際、片１ａの裏面と片１ｂの裏面、並びに、片１ｂの表面と片１ｃの表面とが剥離可能に接着されて供給されることが好ましい。
【００２７】
その状態においては、図２（ａ）に示すように、片１ａの表面が情報提供用シートの表面となり、その面からは、宛先情報３及び組み合わせ情報４ａ，５ａ，６ａ，７ａが視認可能となっているものの、組み合わせ情報４ａ，５ａ，６ａ，７ａと組み合わされることにより所定の情報を構成する組み合わせ情報４ｂ，５ｂ，６ｂ，７ｂは、片１ａによって視認不可能となっているため、組み合わせ情報４ａ，５ａ，６ａ，７ａと組み合わせ情報４ｂ，５ｂ，６ｂ，７ｂとがそれぞれ組み合わされることにより構成される所定の情報を得ることはできない。なお、この際、片１ａの表面に、組み合わせ情報４ａ，５ａ，６ａ，７ａを用いて何らかの情報を得ることが理解できるようなメッセージ等の情報を印刷しておけば、情報提供用シートの受取人にさらに開封に対する意欲を持たせることができる。
【００２８】
また、図２（ｃ）に示すように、片１ｃの裏面が情報提供用シートの裏面となり、その面からは、組み合わせ情報８ｃが視認可能となっているものの、穴１８を介しては片１ｂの表面の一部が視認可能となっているだけであって、組み合わせ情報８ｃと組み合わされることにより所定の情報を構成する組み合わせ情報８ａは片１ｂによって視認不可能となっているため、組み合わせ情報８ａと組み合わせ情報８ｃとが組み合わされることにより構成される所定の情報を得ることはできない。なお、この際、片１ｂの表面のうち、穴１８を介して視認可能となる領域に、図２（ｃ）に示すように、片１ｃの裏面に掲載された組み合わせ情報８ｃを用いて何らかの情報を得ることが理解できるようなメッセージ等の情報を掲載しておけば、情報提供用シートの受取人にさらに開封に対する意欲を持たせることができる。
【００２９】
このように折り畳まれた情報提供用シートは、片１ａの表面に掲載された宛先情報３に基づいて受取人に送付される。
【００３０】
以下に、上述したような形態で供給された情報提供用シートを開封した状態について説明する。
【００３１】
図３は、図１に示した情報提供用シートを用いた情報提供方法を説明するための図であり、（ａ）は組み合わせ情報によって提供される情報を示す図、（ｂ）はその際の情報提供用シートの折り方を示す図である。
【００３２】
図２に示したような形態で供給された情報提供用シートを、片１ａの裏面と片１ｂの裏面、並びに片１ｂの表面と片１ｃの表面とをそれぞれ互いに剥離することにより開封し、さらに、図３（ｂ）に示すように、片１ａの表面と片１ｂの表面とが対向するように片１ａと片１ｂとを連接部２ａにて折り返すと、図３（ａ）に示すように、片１ｂの裏面から見た場合、片１ｂに形成された穴１４〜１７を介して片１ａの表面に掲載された組み合わせ情報４ａ，５ａ，６ａ，７ａの一部が視認可能となるとともに、この穴１４〜１７を介して視認可能となった組み合わせ情報４ａ，５ａ，６ａ，７ａと、片１ｂの裏面に掲載された組み合わせ情報４ｂ，５ｂ，６ｂ，７ｂとがそれぞれ組み合わされて所定の情報が構成されることになる。
【００３３】
所定の情報としては、例えば、組み合わせ情報４ａと組み合わせ情報４ｂとによって構成されるようなバーコード情報や、組み合わせ情報５ａと組み合わせ情報５ｂとによって構成されるような二次元コードが考えられる。このように、所定の情報としてバーコード情報あるいは二次元コードを構成する場合は、コード情報の読み取りを精度よく行うためには、組み合わせ情報４ａと組み合わせ情報４ｂ、並びに組み合わせ情報５ａと組み合わせ情報５ｂとを互いに同一の色（例えば黒色）によって印刷することが好ましい。  さらに、穴１４の形状をバーコード情報の一部を構成するような形状とすることにより、組み合わせ情報４ａのように、タイヤの一部分がコードを表現するための情報領域となるため、違和感のないデザインにすることもできる。また、穴１４の形状や、穴１５を介して視認可能となる組み合わせ情報５ａを、バーコード情報や二次元コードを構成する可変情報によらずに固定情報である、スタート・ストップコードや領域認識コードとすることにより、組み合わせ情報４ｂ、５ｂのコード情報がシート毎に可変の場合であっても、組み合わせ情報４ａ、５ａ側は同一の印刷内容となるため効率よく製造することができる。また、組み合わせ情報６ａと組み合わせ情報６ｂとによって構成されるような図柄情報とすることが考えられる。この場合、所定の情報を構成する図柄の一部を組み合わせ情報６ａ，６ｂとしてそれぞれ印刷しておき、これら組み合わせ情報６ａ，６ｂが組み合わされた場合に所定の図柄情報が構成されるようにする。また、組み合わせ情報７ａと組み合わせ情報７ｂとによって構成されるような文字情報が考えられる。この場合、所定の情報を構成する文字情報の一部を組み合わせ情報７ａ，７ｂとしてそれぞれ印刷しておき、これら組み合わせ情報７ａ，７ｂが組み合わされた場合に所定の文字情報が構成されるようにする。
【００３４】
なお、本実施形態においては、片１ａ，片１ｂ，片１ｃの３片を用いた形状となっているが、組み合わせ情報４ａ，５ａ，６ａ，７ａと組み合わせ情報４ｂ，５ｂ，６ｂ，７ｂを用いて情報を表現する場合には、片１ａと片１ｂのみの構成でよく、片１ｃはなくてもよい。
【００３５】
図４は、図１に示した情報提供用シートを用いた情報提供方法を説明するための図であり、（ａ）は組み合わせ情報によって提供される情報を示す図、（ｂ）はその際の情報提供用シートの折り方を示す図である。
【００３６】
図２に示したような形態で供給された情報提供用シートを、片１ａの裏面と片１ｂの裏面、並びに片１ｂの表面と片１ｃの表面とをそれぞれ互いに剥離することにより開封し、さらに、図４（ｂ）に示すように、片１ａの裏面と片１ｃの表面とが対向するように、片１ａと片１ｂとを連接部２ａにて折り返し、さらに、片１ｂと片１ｃとを連接部２ｂにて折り畳むと、図４（ａ）に示すように、片１ｃの裏面から見た場合、片１ｃに形成された穴１８を介して片１ａの裏面に掲載された組み合わせ情報８ａの一部が視認可能となるとともに、この穴１８を介して視認可能となった組み合わせ情報８ａと、片１ｃの裏面に掲載された組み合わせ情報８ｃとがそれぞれ組み合わされて所定の情報が構成されることになる。
【００３７】
所定の情報としては、図４（ａ）に示すように、穴１８を介して視認可能となる組み合わせ情報８ａによって、片１ｃの裏面に掲載された組み合わせ情報８ｃの構成する要素のうちから１つの要素が選択されるもの等が考えられる。
【００３８】
なお、組み合わせ情報４ａ，５ａ，６ａ，７ａ，８ａと組み合わせ情報４ｂ，５ｂ，６ｂ，７ｂ，８ｃとがそれぞれ組み合わされることにより構成される所定の情報は、その後の様々な用途に使用可能なものとすることが考えられ、例えば、組み合わせ情報４ａと組み合わせ情報４ｂとが組み合わされることにより構成されるバーコード情報や、組み合わせ情報４ａと組み合わせ情報４ｂとが組み合わされることにより構成される二次元コードによって、受取人を認証するためのＩＤ等を構成しておき、このＩＤによって受取人を認証することや、二次元コードにおいては、所定のサイトにアクセスするためのアクセス情報を含ませておくことによりそのサイトにアクセスすることができるように構成することが考えられる。また、バーコード情報、二次元コード、図柄、文字情報に限らず、２つの情報が組み合わされることにより構成される情報であれば、本発明を適用することができる。
【００３９】
【発明の効果】
以上説明したように本発明においては、連接された複数片からなり、該複数片が連接部分にて折り畳まれた状態で供給される情報提供用シートにおいて、複数片のうち少なくとも１つの片は、当該情報提供用シートを連接部分にて折り返した場合に、他の片に掲載された第１の情報が視認可能となる穴が形成されるとともに、穴を介して視認可能となった第１の情報と組み合わされることにより所定の情報を構成する第２の情報が掲載され、かつ、第１の情報と第２の情報とのいずれか一方が、当該情報提供用シートが折り畳まれた状態にて表出する領域に掲載されている構成としたため、この情報提供用シートを受け取った受取人は、所定の情報を得るために情報提供用シートを連接部分にて折り返すことになり、それにより、情報提供用シートの開封率を向上させることができる。
【図面の簡単な説明】
【図１】本発明の情報提供用シートの実施の一形態を示す図であり、（ａ）は表面構成を示す図、（ｂ）は裏面構成を示す図である。
【図２】図１に示した情報提供用シートが供給される際の形態を示す図であり、（ａ）は表面から見た図、（ｂ）は折り方を説明するための図、（ｃ）は裏面から見た図である。
【図３】図１に示した情報提供用シートを用いた情報提供方法を説明するための図であり、（ａ）は組み合わせ情報によって提供される情報を示す図、（ｂ）はその際の情報提供用シートの折り方を示す図である。
【図４】図１に示した情報提供用シートを用いた情報提供方法を説明するための図であり、（ａ）は組み合わせ情報によって提供される情報を示す図、（ｂ）はその際の情報提供用シートの折り方を示す図である。
【符号の説明】
１ａ，１ｂ，１ｃ    片
２ａ，２ｂ    連接部
３    宛先情報
４ａ，４ｂ，５ａ，５ｂ，６ａ，６ｂ，７ａ，７ｂ，８ａ，８ｃ    組み合わせ情報
１４〜１８    穴
【図１】
2004243723.tif 000003
【図２】
2004243723.tif 000004
【図３】
2004243723.tif 000005
【図４】
2004243723.tif 000006